(57)【要約】【課題】パネルの背面側の駆動基板の熱および不要輻射を抑制し、安定した動作を行うプラズマディスプレイ装置を提供する。【解決手段】本発明のプラズマディスプレイ装置は、走査電極駆動回路１００１と維持電極駆動回路１００２の間に設けられ、走査電極と維持電極間で電荷回収を行う電荷回収回路は、走査電極回路基板に第１のインダクタンス素子と、維持電極回路基板に第２のインダクタンス素子と、これらの第１のインダクタンス素子と第２のインダクタンス素子を接続する回収線を有することを特徴とする。【選択図】図２
2010175766.tif 000002
【特許請求の範囲】
【請求項１】
水平方向に複数の維持電極と複数の走査電極を備えるプラズマディスプレイパネルと、前記維持電極に維持パルスを印加する維持電極駆動回路を備える維持電極回路基板と、前記走査電極に維持パルスを印加する走査電極駆動回路を備える走査電極回路基板と、前記維持電極駆動回路と前記走査電極駆動回路の間に設けられ、前記維持電極と前記走査電極の間にて電荷回収を行う電荷回収回路とを備え、
前記電荷回収回路は、前記走査電極回路基板に第１のインダクタンス素子と前記維持電極回路基板に前記第２のインダクタンス素子と、前記第１のインダクタンス素子と前記第２のインダクタンス素子を接続する回収線を有することを特徴とするプラズマディスプレイ装置。
【請求項２】
電荷回収回路の回収線は走査電極回路基板と維持電極回路基板との間をシャーシの上辺付近に配置されることを特徴とする請求項１記載のプラズマディスプレイ装置。
【請求項３】
プラズマディスプレイパネルは、基板に導電性の走査電極および維持電極を間に放電ギャップを設けて配置して表示電極を構成するとともに前記表示電極を行方向に複数本配列して設けた前面板と、前記前面板に間に放電空間を設けて対向配置されかつ前記表示電極と交差する列方向に複数本のデータ電極を形成して交差部分に放電セルを設けた背面板と、前記背面板に設けられかつ前記放電空間を前記放電セル毎に区画する隔壁とを有し、前記走査電極および維持電極は、放電ギャップを介して対向する第１部分と、前記第１部分から間隔をあけて平行に配置された第２部分と、前記第１部分と第２部分とを接続しかつ前記放電セル毎に設けた第３部分とを備え、かつ前記走査電極および維持電極において、前記第１部分および第２部分の幅をＬＬ、前記第３部分の幅をＬｓとしたとき、前記隔壁の頂部の幅Ｌｒに対して、Ｌｒ＜Ｌｓ≦ＬＬとなるように構成したことを特徴とする請求項１記載のプラズマディスプレイ装置。
【請求項４】
走査電極および維持電極は、少なくとも２層構造とするとともに、基板側の下層が上層より明度が低くなるように構成し、かつ前記表示電極間に遮光部材が存在しないことを特徴とする請求項３に記載のプラズマディスプレイパネル。
【発明の詳細な説明】
【技術分野】
【０００１】
本発明は、壁掛けテレビや大型モニターに用いられるプラズマディスプレイ装置に関するものである。
【背景技術】
【０００２】
一般にプラズマディスプレイ装置は、プラズマディスプレイパネルの左右の両辺から水平方向にそれぞれ一対の電極対と、プラズマディスプレイパネルの下辺（または上辺）から垂直方向に伸びる電極を備える３電極構造のものが知られている。また、プラズマディスプレイ装置は、入力された１フィールドの映像信号を、発光輝度がそれぞれ異なる（以降、輝度重みが異なると称する）複数のサブフィールドと呼ばれる期間に分け、この複数のサブフィールドを使用するか否かを選択して発光に寄与するサブフィールドを選択することにより発光輝度の強弱をつけて入力映像信号の階調を表現するサブフィールド駆動が用いられている。図面を用いてプラズマディスプレイ装置の構造について以下に説明する。
【０００３】
図５は、プラズマディスプレイ装置のプラズマディスプレイパネル（以下、パネルと記す）１０の構造を示す分解斜視図である。パネル１０は前面板２１とから構成される。ガラス製の前面板２１上には、１対の走査電極２２と維持電極２３とからなる表示電極対２４が複数形成されている。そして走査電極２２と維持電極２３とを覆うように誘電体層２５が形成され、その誘電体層２５上に保護層２６が形成されている。また、複数の平行なデータ電極３２が形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【０００４】
これら前面板２１と背面板３１は、微小な放電空間を挟んで表示電極対２４とデータ電極３２とが立体交差するように対向配置され、その外周部をガラスフリット等の封着材によって封着されている。そして、内部の放電空間には、例えば分圧比で５％のキセノンを含むネオンとキセノンの混合ガスが放電ガスとして封入されている。このとき、例えば、キセノンの分圧比を大きくすることで、発光効率を向上させることができる。放電空間は隔壁３４によって複数の区画に仕切られており、表示電極対２４とデータ電極３２とが対向して交差する部分に放電セルが形成される。
【０００５】
このような構成のパネル１０において、各放電セル内で各電極に電圧を印加してガス放電を起こし、この放電により放出される紫外線で赤色（Ｒ）、緑色（Ｇ）および青色（Ｂ）の各色の蛍光体を励起発光させることによりカラーの画像を表示することができる。
【０００６】
図６は、パネル１０の電極配列図である。パネル１０には、行方向に長いｎ本の走査電極ＳＣ１〜走査電極ＳＣｎ（図５の走査電極２２）およびｎ本の維持電極ＳＵ１〜維持電極ＳＵｎ（図５の維持電極２３）が配列され、列方向に長いｍ本のデータ電極Ｄ１〜データ電極Ｄｍ（図５のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【０００７】
次に図７は、プラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、制御信号発生回路４５、および各回路ブロックに必要な電力を供給する電源回路４６を備えている。
【０００８】
電源回路４６は、家庭用電源取込み口７０（例えば、コンセント用プラグ）を備えている。また、電源回路４６は、スイッチング動作を行う回路素子を有し（図示せず）、その回路素子がオンされることでプラズマディスプレイ装置１に主電源が投入され、一般に用いられている家庭用電源（商用電源等）の取出し口（例えば、コンセント）から、家庭用電源取込み口７０を介して電源回路４６内に電力が取り込まれる。そして、電源回路４６は、家庭用電源の交流電圧を直流電圧に変換し、内部に備えた各電源電圧発生回路からパネル１０の駆動に必要な電源電圧を発生する。
【０００９】
画像信号処理回路４１は、パネル１０の画素数に応じて、入力された画像信号ｓｉｇをサブフィールド毎の発光・非発光を示すサブフィールドデータに変換する。
【００１０】
制御信号発生回路４５は、水平同期信号Ｈ、垂直同期信号Ｖおよびサブフィールドデータにもとづき各回路ブロックの動作を制御する各種の制御信号を発生し、それぞれの回路ブロック（画像信号処理回路４１、データ電極駆動回路４２、走査電極駆動回路４３および維持電極駆動回路４４）へ供給する。
【００１１】
データ電極駆動回路４２は、画像信号処理回路４１から出力されるデータを、各データ電極Ｄ１〜データ電極Ｄｍに対応する書込みパルスに変換し、制御信号Ｃ１にもとづいて各データ電極Ｄ１〜データ電極Ｄｍに印加する。そのため、データ電極駆動回路４２は、サブフィールドデータＤ１および制御信号Ｃ１にもとづき複数のデータ電極３２を独立に駆動することができる。
【００１２】
走査電極駆動回路４３は、制御信号発生回路４５が供給する制御信号Ｃ２にもとづいて各種パルスを発生し、各走査電極ＳＣ１〜走査電極ＳＣｎをそれぞれ駆動する。
【００１３】
維持電極駆動回路４４は、制御信号発生回路４５から供給される制御信号Ｃ３にもとづいて維持電極ＳＵ１〜維持電極ＳＵｎを駆動する。
【００１４】
このようなプラズマディスプレイ装置において、このパネル１０を駆動する方法としては、サブフィールド法、すなわち、１フィールドを時間軸上で複数のサブフィールド（例えば、第１ＳＦ、第２ＳＦ、・・・、第８ＳＦ、の８つのサブフィールド）に分割し、各サブフィールドのそれぞれに輝度重み（例えば、１、２、４、８、１６、３２、６４、１２８の輝度重み）を設定し、サブフィールド毎に各放電セルの発光・非発光を制御することにより、多階調の画像を表示することができる。各サブフィールドでは輝度重みに従い、各放電セルが発光する回数または発光する時間が決められている。
【００１５】
このような駆動回路については、安定した電圧を走査電極ＳＣ１〜走査電極ＳＣｎおよび維持電極ＳＵ１〜維持電極ＳＵｎに印加するとともに構成が簡素化された方法が知られている（特開平２００１−２７２９４５号）。以下に１対の走査電極ＳＣｉ（ｉ＝１〜ｎ）および維持電極ＳＵｉに維持パルスを印加する駆動回路の一例について説明する。
【００１６】
図１２は、プラズマディスプレイ装置の駆動回路の一例を説明するための図であり、図１３はこの駆動回路により走査電極と維持電極に印加される電圧の状態を示した図である。
【００１７】
図１２の駆動回路は、走査電極駆動回路４３と維持電極駆動回路４４を備えている。走査電極駆動回路４３には、走査電極ＳＣ１〜走査電極ＳＣｎを電源電圧Ｖｓ電位にクランプするためのスイッチング素子であるスイッチＳ５と、走査電極ＳＣ１〜走査電極ＳＣｎを接地電位にクランプするためのスイッチング素子であるスイッチＳ６を備え、また維持電極駆動回路４４は、維持電極ＳＵ１〜維持電極ＳＵｎを電源電圧Ｖｓ電位にクランプするためのスイッチＳ１と、維持電極ＳＵ１〜維持電極ＳＵｎを接地電位にクランプするためのスイッチＳ２と、走査電極ＳＣ１〜走査電極ＳＣｎと維持電極ＳＵ１〜維持電極ＳＵｎとの間における電荷回収を制御するためのスイッチＳ３、スイッチＳ４及びダイオードＤ１、ダイオードＤ２と、スイッチＳ３及びダイオードＤ１と直列に接続されたコイルＬ１と、スイッチＳ４及びダイオードＤ２と直列に接続されたコイルＬ２とから構成されている。
【００１８】
上記のように構成された維持ドライバ回路における電荷回収方法について、図１２に示した駆動回路における電荷回収方法を説明するためのタイミングチャート図１３を用いて説明する。
【００１９】
まず、初期状態としてスイッチＳ２、スイッチＳ５がそれぞれＯＮ状態であり、それにより、走査電極側（Ａ点）が電源電圧Ｖｓ電位、維持電極側（Ｂ点）が接地電位であるとする。この状態からまず、スイッチＳ２、スイッチＳ５をＯＦＦ状態に設定し、そのあとスイッチＳ３をＯＮ状態とする。すると、走査電極側から維持電極側にコイルＬ１、ダイオードＤ１及びスイッチＳ３を介して電流が流れ、走査電極側の電位レベルが下降するとともに維持電極側の電位レベルが上昇する。この電位レベルの下降及び上昇の曲線の傾きは、コイルＬ１及び寄生インダクタンス、並びにパネル電極間容量及び寄生容量によって決まるものである。
【００２０】
走査電極側の電位レベルがある程度下降し、また、維持電極側の電位レベルがある程度上昇した後、スイッチＳ１、スイッチＳ６をＯＮ状態、スイッチＳ３をＯＦＦ状態にして走査電極側の電位レベルを接地電位にクランプするとともに、維持電極側の電位レベルを電源電圧Ｖｓ電位にクランプする。
【００２１】
次に、スイッチＳ１、スイッチＳ６をＯＦＦ状態にし、その後、スイッチＳ４をＯＮ状態とする。すると、維持電極側から走査電極側にスイッチＳ４、ダイオードＤ２及びコイルＬ２を介して電流が流れ、それにより、維持電極側の電位レベルが下降するとともに走査電極側の電位レベルが上昇する。維持電極側の電位レベルがある程度下降し、また、走査電極側の電位レベルがある程度上昇した後、スイッチＳ２、スイッチＳ５をＯＮ状態、スイッチＳ４をＯＦＦ状態にし、それにより、維持電極側の電位レベルを接地電位にクランプし、また、走査電極側の電位レベルを電源電圧Ｖｓ電位にクランプする。
【００２２】
以上のように、走査電極側における電位と維持電極側における電位とが交互に入れ替わるようにスイッチＳ１〜スイッチＳ６を制御することで、走査電極と維持電極との間にて電荷回収回路を介して電荷の自己回収を行っている。
【００２３】
なお、この出願の発明に関する先行技術文献情報としては、例えば特許文献１が知られている。
【特許文献１】特開２００１−２７２９４５号公報
【発明の開示】
【発明が解決しようとする課題】
【００２４】
このような自己回収方式のプラズマディスプレイ装置では、走査電極駆動回路４３と維持電極駆動回路４４との間に回収電流を流すための接続線４７が設けられ、この接続線からの不要な輻射がノイズとなってプラズマディスプレイ装置の表示に影響を与えることがある。また走査電極駆動回路４３を備える回路基板では、回収動作を行うためのコイルＬ１やコイルＬ２の温度が高くなり、映像信号の表示に影響を与えてしまうという課題がある。
【００２５】
本発明は、このような課題に鑑みなされたものであり、大画面化されたパネルを備え、このパネルに映像を表示するための各駆動回路基板の大きさが小さく、また各駆動回路基板の発熱を低減することができるプラズマディスプレイ装置の提供することを目的とする。
【課題を解決するための手段】
【００２６】
本発明のプラズマディスプレイ装置は、水平方向に複数の維持電極と複数の走査電極を備えるプラズマディスプレイパネルと、維持電極に維持パルスを印加する維持電極駆動回路を備える維持電極回路基板と、走査電極に維持パルスを印加する走査電極駆動回路を備える走査電極回路基板と、維持電極駆動回路と走査電極駆動回路の間に設けられ、維持電極と走査電極の間にて電荷回収を行う電荷回収回路とを備え、電荷回収回路は、走査電極回路基板に第１のインダクタンス素子と維持電極回路基板に第２のインダクタンス素子と、第１のインダクタンス素子と第２のインダクタンス素子を接続する回収線を有するものである。
【００２７】
また、電荷回収回路の回収線は走査電極回路基板と維持電極回路基板との間をシャーシの上辺付近に配置されることを特徴とするものである。
【００２８】
また、プラズマディスプレイパネルは、基板に導電性の走査電極および維持電極を間に放電ギャップを設けて配置して表示電極を構成するとともに前記表示電極を行方向に複数本配列して設けた前面板と、前記前面板に間に放電空間を設けて対向配置されかつ前記表示電極と交差する列方向に複数本のデータ電極を形成して交差部分に放電セルを設けた背面板と、前記背面板に設けられかつ前記放電空間を前記放電セル毎に区画する隔壁とを有し、前記走査電極および維持電極は、放電ギャップを介して対向する第１部分と、前記第１部分から間隔をあけて平行に配置された第２部分と、前記第１部分と第２部分とを接続しかつ前記放電セル毎に設けた第３部分とを備え、かつ前記走査電極および維持電極において、前記第１部分および第２部分の幅をＬＬ、前記第３部分の幅をＬｓとしたとき、前記隔壁の頂部の幅Ｌｒに対して、Ｌｒ＜Ｌｓ≦ＬＬとなるように構成することを特徴とするものである。
【００２９】
また、走査電極および維持電極は、少なくとも２層構造とするとともに、基板側の下層が上層より明度が低くなるように構成し、かつ前記表示電極間に遮光部材が存在しないことを特徴とするプラズマディスプレイ装置に関するものである。
【発明の効果】
【００３０】
本発明のプラズマディスプレイ装置によれば、回収動作に使用するインダクタンス手段を複数の駆動回路、または駆動回路基板に分散して配置し、このインダクタンス手段を接続線で結ぶことで、インダクタンス手段が発生する熱を分散させて回収動作を実行することを可能とした。また、インダクタンス手段を結ぶ接続線を駆動回路を保持する固定手段の適切な位置に設置することで、パネル上で発生する不要輻射や信号ノイズなどの高周波成分の接続線からの放射も抑制することができるプラズマディスプレイ装置を提供することが可能となる。
【００３１】
また、特にパネル上の電極の抵抗が低いプラズマディスプレイ装置ではパネル上のノイズが駆動回路を通過して接続線に流れてしまったり、またガラス製の前面板と背面板との間に挟まれるキセノンの分圧比が高いプラズマディスプレイ装置では、駆動回路がパネル上の電極に印加する電圧のエッジが鋭くなってしまうが、本発明の回収回路により接続線からの不要輻射を抑制できるとともに、各駆動回路からの発熱を抑制することができる。
【発明を実施するための最良の形態】
【００３２】
以下、本発明の実施の形態におけるプラズマディスプレイ装置について、図面を用いて説明する。
【００３３】
（実施の形態１）
以下、本発明の一実施の形態によるプラズマディスプレイ装置の駆動回路について図面を用いて説明するが、本発明の実施の態様はこれに限定されるものではない。本実施の形態のプラズマディスプレイ装置のプラズマディスプレイパネルの構成や、プラズマディスプレイ装置の駆動回路のブロック図の大まかな構成は、従来例で説明した図５〜図７と同じであるため、ここではその説明を省略する。
【００３４】
図１は、パネル１０の各電極に印加する駆動電圧波形図であり、サブフィールド駆動方法における書込み期間において最初に走査を行う走査電極ＳＣ１、書込み期間において最後に走査を行う走査電極ＳＣｎ、維持電極ＳＵ１〜維持電極ＳＵｎ、およびデータ電極Ｄ１〜データ電極Ｄｍの駆動波形を示す。
【００３５】
本実施の形態のプラズマディスプレイ装置に表示するために、各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【００３６】
なお、サブフィールド法の１つとして、１フィールドのうちの１つのサブフィールドの初期化期間においては全ての放電セルに初期化放電を発生させる全セル初期化動作を行い、他のサブフィールドの初期化期間においては直前の維持期間で維持放電を行った放電セルに対してのみ選択的に初期化放電を発生させる選択初期化動作を行う駆動方法が開示されている。このように駆動することによって、階調表示に関係しない発光を全セル初期化動作における微弱発光だけとし、コントラストの高い画像表示が可能となる。そして、図１には、２つのサブフィールドの駆動電圧波形、すなわち全セル初期化動作を行うサブフィールド（「全セル初期化サブフィールド」と呼称する）の第１サブフィールド（第１ＳＦ）と、選択初期化動作を行うサブフィールド（「選択初期化サブフィールド」と呼称する）の第２サブフィールド（第２ＳＦ）とを示す。なお、以下における走査電極ＳＣｉ、維持電極ＳＵｉ、データ電極Ｄｋは、各電極の中からサブフィールドデータ（サブフィールド毎の発光・非発光を示すデータ）にもとづき選択された電極を表す。
【００３７】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、０（Ｖ）から放電開始電圧以下の電圧Ｖｉ１を印加し、さらに電圧Ｖｉ１から、維持電極ＳＵ１〜維持電極ＳＵｎに対して放電開始電圧を超える電圧Ｖｉ２に向かって緩やかに上昇する傾斜波形電圧（以下、「上りランプ電圧」と呼称する）Ｌ１を印加する。
【００３８】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層２５、３３上、保護層２６上、蛍光体層３５上等に蓄積された壁電荷により生じる電圧を表す。
【００３９】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える負の電圧Ｖｉ４に向かって緩やかに下降する下り傾斜波形電圧（以下、「下りランプ電圧」と呼称する）Ｌ２を印加する。
【００４０】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。
【００４１】
続く書込み期間では、走査電極ＳＣ１〜走査電極ＳＣｎに対しては順次走査パルス電圧を印加（以下、この動作を「走査」とも記す）し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、発光させるべき放電セルに選択的に書込み放電を発生させ壁電荷を形成する（以下、これらの動作を総称して「書込み」とも記す）。
【００４２】
具体的には、まず維持電極ＳＵ１〜維持電極ＳＵｎに電圧Ｖｅ２を、走査電極ＳＣ１〜走査電極ＳＣｎに電圧Ｖｃ（Ｖｃ＝Ｖａ＋Ｖｓｃｎ）を印加する。
【００４３】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。これにより、データ電極Ｄｋと走査電極ＳＣ１との間に放電が発生する。また、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４４】
一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行う。
【００４５】
続く維持期間では、輝度重みに所定の輝度倍率を乗じた数の維持パルスを表示電極対２４に交互に印加して、書込み放電を起こした放電セルで維持放電を発生させ、対応する放電セルの蛍光体層３５を発光させる。
【００４６】
具体的には、まず走査電極ＳＣ１〜走査電極ＳＣｎに正の維持パルス電圧Ｖｓを印加するとともに維持電極ＳＵ１〜維持電極ＳＵｎに０（Ｖ）を印加する。すると書込み放電を起こした放電セルでは、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４７】
続いて、走査電極ＳＣ１〜走査電極ＳＣｎには０（Ｖ）を、維持電極ＳＵ１〜維持電極ＳＵｎには維持パルス電圧Ｖｓをそれぞれ印加する。以降同様に、走査電極ＳＣ１〜走査電極ＳＣｎと維持電極ＳＵ１〜維持電極ＳＵｎとに輝度重みに輝度倍率を乗じた数の維持パルスを交互に印加する。
【００４８】
こうして、所定の数の維持パルスを発生して、維持期間における維持動作が終了する。
【００４９】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から負の電圧Ｖｉ４に向かって緩やかに下降する下りランプ電圧Ｌ３を印加する。
【００５０】
これにより直前のサブフィールドの維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルについては放電することはなく、前のサブフィールドの初期化期間終了時における壁電荷の状態がそのまま保たれる。
【００５１】
第２ＳＦの書込み期間および維持期間では、各電極に対して第１ＳＦの書込み期間および維持期間と同様の駆動波形を印加する。また、第３ＳＦ以降のサブフィールドにおける駆動電圧波形は、維持期間における維持パルスの発生数が異なる以外は第２ＳＦの駆動電圧波形とほぼ同様である。
【００５２】
図２は本発明の一実施の形態によるプラズマディスプレイ装置の駆動回路の概略をブロック図で示したものである。
【００５３】
走査電極駆動回路１００１はパネル１０に映像信号を表示するために複数の走査電極に電圧を印加するためのパルスを供給するもので、維持電極駆動回路１００２は映像信号を表示するために複数の維持電極に電圧を印加するためのパルスを供給するものである。
【００５４】
走査電極駆動回路１００１は、複数の電源５１〜５４、スキャン回路６０、スイッチング手段のスイッチＱ１〜Ｑ１３、コンデンサＣ１、第１のインダクタンス手段１０２０のコイルＬ１、コイルＬ２、ダイオードＤｉ１、ダイオードＤｉ２および抵抗Ｒ１を備える。維持電極駆動回路１００２には、電源５５、スイッチング手段のスイッチＱ１０とＱ１１、および第２のインダクタンス手段１０３０のコイルＬ３を備えている。
【００５５】
走査電極駆動回路１００１のスキャン回路６０は複数の走査ＩＣ(図示せず）を含む。各走査ＩＣはノードＮ１とノードＮ２との間に接続されるとともに、各走査電極に接続される。各走査ＩＣは対応する走査電極をノードＮ１およびノードＮ２に選択的に接続する。
【００５６】
コンデンサＣ１はノードＮ１とノードＮ３との間に接続される。このコンデンサＣ１は電圧Ｖｓｃｎを保持するフローティング電源として働く。ノードＮ２とノードＮ３との間には保護抵抗Ｒ１が接続される。このような構成によりノードＮ３の電位は、ノードＮ１の電位に電圧Ｖｓｃｎを加算した値になる。
【００５７】
走査電極駆動回路１００１のスイッチＱ１、ダイオードＤｉ１、コイルＬ１、スイッチＱ２、ダイオードＤｉ２、コイルＬ２と、維持電極駆動回路１００２のコイルＬ３とは回収回路１０１０を構成する。維持電極駆動回路１００２のコイルＬ３の一端は、走査電極駆動回路１００１のスイッチＱ１およびスイッチＱ２と回収線１０００で接続されている。
【００５８】
スイッチＱ７はサブフィールド期間の書込み期間において、ノードＮ１と電源５２および電源５１を電気的に分離するための分離スイッチとしての働きを行う。またスイッチＱ６も分離スイッチとして働くもので、電源５１や回収回路１０１０とを電気的に分離する。
【００５９】
維持電極駆動回路１００２のスイッチＱ１０は維持電極ＳＵ１〜維持電極ＳＵｎを電源５５の電圧Ｖｓｕｓ電位にクランプするためのものであり、スイッチＱ１１は維持電極ＳＵ１〜維持電極ＳＵｎを接地電位にクランプするためのものである。スイッチＱ１０とスイッチＱ１１の間にあるノードＮ４はコイルＬ３に接続し、またノードＮ４はパネル１０の維持電極ＳＵ１〜ＳＵｎに接続し、ノードＮ４の電位がパネル１０の維持電極ＳＵ１〜ＳＵｎに印加される。
【００６０】
（維持期間の動作）
次に、プラズマディスプレイ装置の走査電極駆動回路１００１と維持電極駆動回路１００２が各サブフィールドの維持期間での電荷の回収動作を、タイミングチャートを使って説明する。図３は回収動作時のそれぞれのスイッチの動作と、その動作に対応して走査電極ＳＣ１〜ＳＣｎ、維持電極ＳＵ１〜ＳＵｎに印加される電圧を示したものである。
【００６１】
まずスイッチＱ４、スイッチＱ１０、スイッチＱ６およびスイッチＱ７をオン状態、その他のスイッチをオフの状態では、走査電極ＳＣ１〜ＳＣｎには接地電位が、維持電極ＳＵ１〜ＳＵｎには電圧Ｖｓｕｓが印加されている。時刻ｔ１ではスイッチＱ４、スイッチＱ１０をオフ状態にし、スイッチＱ１をオン状態にすると、維持電極ＳＵ１〜ＳＵｎから回収回路１０１０内を、コイルＬ３、回収線１０００、スイッチＱ１、ダイオードＤ１、コイルＬ１を通って出力され、スイッチＱ６、スイッチＱ７、さらにはスキャン回路６０を通り走査電極ＳＣ１〜ＳＣｎへ電流が流れる。これにより時刻ｔ１から時刻ｔ２にかけて維持電極ＳＵ１〜ＳＵｎが下降し、走査電極ＳＣ１〜ＳＣｎ電位が上昇する。この時の各電極の電位の下降及び上昇の傾きは、コイルＬ１、コイルＬ３及び寄生インダクタンス、並びにパネル電極間容量及び寄生容量によって決まるものである。 時刻ｔ２では、スイッチＱ１がオフ状態、スイッチＱ３とスイッチＱ１１とをオン状態とすると走査電極ＳＣ１〜ＳＣｎは電源５１の電位Ｖｓｕｓにクランプされ、維持電極ＳＵ１〜ＳＵｎはスイッチＱ１１を介しての接地電位に固定される。
【００６２】
次に時刻ｔ３では、スイッチＱ３、スイッチＱ１１をオフ状態にし、スイッチＱ２をオン状態にすると、走査電極ＳＣ１〜ＳＣｎからスイッチＱ７、コイルＬ２、ダイオードＤ２、スイッチＱ２、回収線１０００を通って回収回路１０１０から出力されて維持電極ＳＵ１〜ＳＵｎへ電流が流れる。これにより時刻ｔ３から時刻ｔ４にかけて維持電極ＳＵ１〜ＳＵｎの電位が上昇し、走査電極ＳＣ１〜ＳＣｎの電位が下降する。時刻ｔ４でスイッチＱ２をオフ状態にし、スイッチＱ１０とスイッチＱ４をオン状態にして、走査電極ＳＣ１〜ＳＣｎの電位を接地電圧、維持電極ＳＵ１〜ＳＵｎの電位を電源５５のＶｓｕｓ電位にクランプする。
【００６３】
以上のように、走査電極ＳＣ１〜ＳＣｎにおける電位と維持電極ＳＵ１〜ＳＵｎにおける電位とが交互に入れ替わるように複数のスイッチを制御することで、走査電極と維持電極との間にて電荷の回収回路１０１０を介して電荷の自己回収を行っている。
【００６４】
本実施の形態のプラズマディスプレイ装置の駆動回路は、回収回路１０１０が回収線１０００を挟んで走査電極駆動回路１００１側と維持電極駆動回路１００２側に別れて配置されている。維持電極駆動回路１００２側の回収回路１０１０では、回収線１０００からの入力段にコイルＬ３が配置されている。このコイルＬ３は走査電極駆動回路１００１のコイルＬ１、コイルＬ２と合わせて回収インダクタンスとして機能する。このように回収コイルを走査電極駆動回路１００１側と維持電極駆動回路１００２側に分けて配置することで、コイルからの熱を分散することができるので、それぞれの駆動回路の温度問題を抑制し、温度や熱による回路の破壊を防ぎ、安全で品質の高いプラズマディスプレイ装置を提供できる。
【００６５】
なお、本実施の形態では、第１のインダクタンス手段１０２０をコイルＬ１、コイルＬ２で構成する例を記したが、これに限るものでなく、例えば１つのコイルとして走査電極駆動回路１００１側から維持電極駆動回路１００２側へ、およびその逆方向の両方向の電流を流す構成であっても構わない。また、第２のインダクタンス手段１０３０もこれに限るものではなく、複数のコイルが接続されている構造であっても上記と同等の効果が得られるものである。
【００６６】
さらにコイルを複数使用して接続してインダクタンス手段を構成してもよい。
【００６７】
次に回収回路１０１０の具体的な配置例を図面を用いて説明する。図４は、プラズマディスプレイ装置の背面側からの概略図である。プラズマディスプレイ装置はパネル１０の背面には、パネル１０を支えるとともに、様々な回路基板を固定するためのシャーシ１００が設けられ、シャーシ１００に走査電極駆動回路１００１や維持電極駆動回路１００２の回路基板、電源基板などが固定されている。走査電極駆動回路１００１はプラズマディスプレイ装置の背面から見て左側に、維持電極駆動回路１００２は右側に配置されている。回収回路の第１のインダクタンス手段は走査電極駆動回路１００１の走査基板１１００上に設けられ、回収回路の第２のインダクタンス手段１０３０は維持電極駆動回路１００２側の維持基板１１１０上に設けられている。
【００６８】
走査電極駆動回路１００１と維持電極駆動回路１００２との間は回収線１０００でつながっている。走査基板１１００上の第１のインダクタンス手段は回収線１０００の接続点の近くに配置されており、同様に維持基板１１１０上の第２のインダクタンス手段も回収線１０００の接続点との近くに配置されている。走査電極駆動回路１００１と維持電極駆動回路１００２はそれぞれパネル１０の走査電極、維持電極(それぞれ図示せず）に電圧を印加するために、パネル１０の端部に配置されるため、パネル１０の大きさが大きくなるほど基板間の距離が離れることとなり、回収線１０００の長さが長くなる。この回収線１０００には各電極の電荷の回収時の電流のほか、様々な高周波のノイズが流れ、回収線１０００から不要輻射として放出される。従って回収線１０００が長くなるほど不要輻射のレベルは大きいものとなり、画像表示や、プラズマディスプレイ装置の周辺の機器に影響を与えてしまうという課題があった。
【００６９】
本発明の実施の形態では、回収回路１０１０をパネル１０の上方に配置することでこれらの課題を解決するものである。具体的には、図４のように走査電極駆動回路１００１および維持電極駆動回路１００２からそれぞれ回収線１０００を上方に向けて延ばし、パネル１０の上辺付近に沿って固定する。このように回収線１０００を固定することで不要輻射を小さくすることができる。シャーシ１００の上辺はパネル１０の電極からの影響を受け、またシャーシ１００の中央部付近の電源基板１１２０を考慮すると、回収線１０００の好ましい位置は、具体的にはシャーシ１００の上辺から２０〜７５ｍｍの位置で、この領域で回収線１０００からのノイズが最も小さくなる。
【００７０】
以上のように、回収回路の構成を、回収コイルを走査電極駆動回路１００１側と維持電極駆動回路１００２側に分けて配置することと、さらに回収線１０００をパネルの上方において固定することで、それぞれの駆動回路の温度問題を抑制し、温度や熱による回路の破壊を防ぎ、またプラズマディスプレイ装置の背面側からの不要輻射を抑制することで、安全であり、品質の高いプラズマディスプレイ装置を提供できる。
【００７１】
（実施の形態２）
次の実施の形態は、実施の形態１のものとは異なるパネルに用いられる回収回路について説明する。本実施の形態のプラズマディスプレイ装置のパネルの全体構成について、図８〜図１１を用いて説明する。
【００７２】
図８は本発明の一実施の形態によるプラズマディスプレイパネルにおいて、前面板と背面板とを分離した状態で示す分解斜視図、図９は前面板と背面板とを貼り合わせてパネルとしたときの放電セル構造を示す断面図である。この図８、図９に示すように、パネルは、ガラス製の前面板１０１と背面板１０２とを、その間に放電空間１０３を形成するように対向配置することにより構成されている。
【００７３】
前面板１０１は、ガラス製の基板１０４上に導電性の第１電極である走査電極１０５および第２電極である維持電極１０６を、間に放電ギャップを設けて互いに平行に配置して表示電極１０７を構成するとともに、その表示電極１０７を行方向に複数本配列して設け、この表示電極１０７を覆うようにガラス材料からなる誘電体層１０８が形成され、その誘電体層１０８上にはＭｇＯからなる保護膜１０９が形成されている。
【００７４】
走査電極１０５および維持電極１０６は、それぞれＩＴＯなどの透明電極を用いず、銀（Ａｇ）からなる膜厚が約５μｍ程度の導電性電極のみから構成され、しかも走査電極１０５および維持電極１０６は、図９に示すように、少なくとも２層構造（図示のものは２層）とし、そして基板１０４側の下層１０５ａ、１０６ａは黒色系の金属酸化物を含有する材料により構成するとともに、上層１０５ｂ、１０６ｂは下層１０５ａ、１０６ａより比抵抗が小さくなるようにＡｇの含有量を増やした白色系の材料により構成することにより、基板１０４側の下層１０５ａ、１０６ａが上層１０５ｂ、１０６より明度が低くなるように構成している。すなわち、走査電極１０５および維持電極１０６からなる表示電極１０７は、基板１０４側の表示面から見たとき走査電極１０５および維持電極１０６からなる表示電極１０７の明度が低くなるように構成することにより、表示電極１０７間に遮光部材が存在しない構成としている。
【００７５】
また、背面板１０２は、ガラス製の基板１１０上に、ガラス材料からなる絶縁体層１１１で覆われかつ列方向にストライプ状に配列したＡｇからなる複数本のデータ電極１１２が設けられ、そして絶縁体層１１１上には、前面板１０１と背面板１０２との間の放電空間１０３を放電セル毎に区画するためのガラス材料からなる井桁状の隔壁１１３が設けられている。また、絶縁体層１１１の表面および隔壁１１３の側面には、赤色（Ｒ）、緑色（Ｇ）、青色（Ｂ）の蛍光体層１１４Ｒ、１１４Ｇ、１１４Ｂが設けられている。そして、走査電極１０５および維持電極１０６とデータ電極１１２とが交差するように前面板１０１と背面板１０２とが対向配置され、前記走査電極１０５および維持電極１０６とデータ電極１１２が交差する交差部分には、図１０に示すように、放電セル１１５が設けられている。また、放電空間１０３には、放電ガスとして、例えばネオンとキセノンの混合ガスが封入されている。なお、パネルの構造は上述したものに限られるわけではなく、例えばストライプ状の隔壁を備えたものであってもよい。
【００７６】
ここで、図９に示すように、放電セル１１５を形成する井桁形状の隔壁１１３は、データ電極１１２に平行に形成された縦隔壁１１３ａと、この縦隔壁１１３ａに直交しかつ縦隔壁１１３ａより高さが低くなるように形成した横隔壁１１３ｂとから構成されている。また、この隔壁１１３内に塗布して形成される蛍光体層１１４Ｒ、１１４Ｇ、１１４Ｂは、縦隔壁１１３ａに沿ってストライプ状に青色蛍光体層１１４Ｂ、赤色蛍光体層１１４Ｒ、緑色蛍光体層１１４Ｇの順に配列して形成されている。
【００７７】
図１０はこの図８、図９に示すパネルの電極配列図である。行方向に長いｎ本の走査電極Ｙ１、Ｙ２、Ｙ３・・・Ｙｎ（図８の１０５）およびｎ本の維持電極Ｘ１、Ｘ２、Ｘ３・・・Ｘｎ（図８の１０６）が配列され、列方向に長いｍ本のデータ電極Ａ１、Ａ２・・・Ａｍ（図８の１１２）が配列されている。そして、１対の走査電極Ｙ１および維持電極Ｘ１と１つのデータ電極Ａ１とが交差した部分に放電セル１１５が形成され、放電セル１１５は放電空間内にｍ×ｎ個形成されている。また、前記走査電極Ｙ１および維持電極Ｘ１は、図１０に示すように、走査電極Ｙ１−維持電極Ｘ１−維持電極Ｘ２−走査電極Ｙ２・・・・の配列で繰り返すパターンで、前面板１０１に形成されている。そしてこれらの電極のそれぞれは、前面板１０１、背面板１０２の画像表示領域外の周辺端部に設けられた接続端子それぞれに接続されている。
【００７８】
次に、本発明のプラズマディスプレイパネルの表示電極１０７の構成について、さらに詳細に説明する。
【００７９】
上述したように、本発明のプラズマディスプレイパネルにおいては、前面板１０１の表示電極１０７を構成する走査電極１０５および維持電極１０６は、それぞれＩＴＯなどの透明電極を用いず、Ａｇなどの導電性材料からなる導電性電極のみにより構成している。図１１に、表示電極１０７を構成する走査電極１０５および維持電極１０６と、データ電極１１２と、隔壁１１３との配置図を示している。
【００８０】
図１１に示すように、表示電極１０７を構成する走査電極１０５および維持電極１０６は、それぞれ梯子型形状をしており、放電ギャップＭＧを介して対向する第１部分１５１、１６１と、この第１部分１５１、１６１から間隔をあけて平行に配置された第２部分１５２、１６２と、第１部分１５１、１６１と第２部分１５２、１６２とを接続し、かつ放電セル１１５毎に設けた第３部分１５３、１６３とを備えている。
【００８１】
走査電極１０５および維持電極１０６において、第１部分１５１、第１部分１６１および第２部分１５２、第２部分１６２の幅をＬＬ、第３部分１５３、第３部分１６３の幅をＬｓとしたとき、隔壁１１３の頂部の幅Ｌｒに対して、Ｌｒ＜Ｌｓ≦ＬＬとなるように構成している。具体的には、第１部分１５１、第１部分１６１および第２部分１５２、第２部分１６２の幅ＬＬは約６０μｍ〜約７０μｍ、第３部分１５３、第３部分１６３の幅Ｌｓは約６０μｍとし、隔壁１１３の頂部の幅Ｌｒを約５０μｍ程度としている。また、走査電極１０５および維持電極１０６間の放電ギャップＭＧは９０μｍ〜１００μｍであり、また走査電極１０５および維持電極１０６それぞれの第１部分１５１、第１部分１６１と第２部分１５２、第２部分１６２との間のギャップＬＧは約８０μｍとは、隣接する放電セル１１５間の非放電ギャップＩＰＧ（約２００μｍ）より小さくなるように形成されている。
【００８２】
このように走査電極１０５および維持電極１０６において、第１部分１５１、１６１および第２部分１５２、１６２の幅をＬＬ、第３部分１５３、１６３の幅をＬｓとしたとき、隔壁１１３の頂部の幅Ｌｒに対して、Ｌｒ＜Ｌｓ≦ＬＬとなるように構成することにより、隣接する放電セル１１５間に遮光部材を設けなくても十分なコントラスト比を確保した表示性能を備えたパネルを安価に得ることが可能となる。すなわち、一般にプラズマディスプレイパネルにおいては、隔壁１１３を構成する材料として比較的明度の高いガラス材料が使用されるため、隣接する放電セル１１５の非放電ギャップＩＰＧ部分に遮光部材を配置することにより、十分なコントラスト比を確保する構造が採用されるが、本実施の形態のパネルの電極構成では、隣接する放電セル１１５の非放電ギャップＩＰＧ部分に遮光部材を配置しなくても、遮光部材を配置した場合と同様に、十分なコントラスト比を確保した表示性能を備えたパネルを得ることが可能となる。
【００８３】
このような電極構成をとるパネルではパネル表面の電極の抵抗値が低いため、パネル表面上のノイズは各電極を通ってパネルの背面側の回路基板に流れやすくなる。すなわち実施の形態１で説明した図５および図６で記すパネルに比べて本実施の形態のパネルではより多くの電流が回路基板および回収線を通り、プラズマディスプレイ装置の表示する画像や、またその周りに多くの影響を与えてしまう。
【００８４】
このような課題に対しても、実施の形態１で記した回収回路を用いることが有効である。図２の走査電極駆動回路１００１のスキャン回路６０の出力を走査電極１０５に、維持電極駆動回路１００２の出力を維持電極１０６に接続する。本実施の形態の図８のパネルはＩＴＯなどの透明電極はなく銀（Ａｇ）などの導電性材料からなる導電性電極のみにより構成されているので、走査電極１０５、維持電極１０６から走査電極駆動回路１００１、維持電極駆動回路１００２へ多くのノイズが流れ込むが、本願発明の回収回路では、回収線１０００に到達する前に第１のインダクタンス手段や第２のインダクタンス手段が配置されているので、回収線１０００からの不要輻射を抑えることができる。
【００８５】
以上のように本実施の形態例では、透明電極を用いない電極構成のパネルと、インダクタンス手段を走査電極駆動側と維持電極駆動側との両方に配置する回収回路を備えるので、輝度とコントラストが高く、不要輻射を抑え、温度対策がなされたプラズマディスプレイ装置を提供することができる。
【産業上の利用可能性】
【００８６】
本発明は、維持電極あるいは走査電極の電位を他方の電極と同電位に変動させる場合、他方の電極のクランプ回路にてクランプされる電位を電荷回収回路を介して伝達したり、他方の電極に対して電荷回収回路を介して電流を流したりすることにより、電位を緩やかに変動させているため、電位を緩やかに変動させるためのスロープ回路を削除することができるため、回路構成を簡素化することができるので、小型のプラズマディスプレイ装置に有用である。
【００８７】
一方、走査電極駆動回路と維持電極駆動回路の両方にインダクタンスを設け回収線へのノイズの漏洩を抑制できるので、大型のプラズマディスプレイ装置にも有用である。
【図面の簡単な説明】
【００８８】
【図１】プラズマディスプレイ装置の駆動電圧波形図
【図２】本発明のプラズマディスプレイ装置の駆動回路の回路図
【図３】同プラズマディスプレイ装置の維持期間の各電極に印加する駆動電圧波形図
【図４】同プラズマディスプレイ装置の背面側からの駆動回路のブロック図
【図５】本発明のプラズマディスプレイ装置の第１の実施の形態のパネルの概略を記した分解斜視図
【図６】本発明のプラズマディスプレイ装置の第１の実施の形態のパネルの電極構成を記す平面図
【図７】本発明のプラズマディスプレイ装置の信号の流れを示す回路ブロック図
【図８】本発明のプラズマディスプレイ装置の第２の実施の形態のパネルの概略を記した分解斜視図
【図９】同プラズマディスプレイ装置の断面図
【図１０】同プラズマディスプレイ装置のパネルの電極構成を記す平面図
【図１１】同プラズマディスプレイ装置のパネルの電極構成の一部を拡大して記す平面図
【図１２】従来のプラズマディスプレイ装置の駆動回路の回路図
【図１３】同プラズマディスプレイ装置の維持期間の各電極に印加する駆動電圧波形図
【符号の説明】
【００８９】
１０  パネル
２１  （ガラス製の）前面板
２２、１０５、ＳＣ１〜ＳＣｎ  走査電極
２３、１０６、ＳＵ１〜ＳＵｎ  維持電極
４７  回収線
１０００  回収線
１００１  走査電極駆動回路
１００２  維持電極駆動回路
１０１０  回収回路
１０２０  第１のインダクタンス手段
１０３０  第２のインダクタンス手段
【図１】
2010175766.tif 000003
【図２】
2010175766.tif 000004
【図３】
2010175766.tif 000005
【図４】
2010175766.tif 000006
【図５】
2010175766.tif 000007
【図６】
2010175766.tif 000008
【図７】
2010175766.tif 000009
【図８】
2010175766.tif 000010
【図９】
2010175766.tif 000011
【図１０】
2010175766.tif 000012
【図１１】
2010175766.tif 000013
【図１２】
2010175766.tif 000014
【図１３】
2010175766.tif 000015